(57)【要約】【課題】 人それぞれの目の曲線に応じて固定側型付け部と可動側型付け部とのそれぞれほぼ同じ湾曲形状を調整することができるようにし、睫毛カール器を購入するときは、各社で市販しているものから自分に合ったものを選択することなく、睫毛を根本からしっかりときれいにカールすることができるようにする。【解決手段】  回動自在に軸支部２１、２３で軸支された一対のレバー７、９からなるグリップ部３と、このグリップ部３における一対のレバー７、９の操作により前記軸支部２１、２３に取り付けられ、且つ固定側型付け部２５と可動側型付け部３９とを備えた開閉、接離自在な睫毛カール機構部５とで構成され、前記固定側型付け部２５と可動側型付け部３９とがそれぞれほぼ同じ湾曲形状になっていると共にこの各湾曲形状を調整自在に設けてなることを特徴とする。【選択図】図１
2005349181.tif 000002
【特許請求の範囲】
【請求項１】
回動自在に第１軸支部で軸支された一対のレバーからなるグリップ機構部と、このグリップ機構部における一対のレバーの一方を支持部材で二股アームを支持せしめ且つ二股アームで構成し且つこの二股アームの一端側に固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されていると共に、前記二股アームの他端を第２軸支部で軸支して前記各円弧形状の状態を調整自在に設けてなることを特徴とする睫毛カール器。
【請求項２】
回動自在に第１軸支部で軸支された一対のレバーからなるグリップ機構部と、このグリップ機構部における一対のレバーの一方を二股アームで構成し且つこの二股アームの一端側に固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されていると共に、前記二股アームの他端を第２軸支部で軸支して前記各円弧形状の状態を調整自在に設けてなることを特徴とする睫毛カール器。
【請求項３】
回動自在に軸支部で軸支された一対のレバーからなるグリップ機構部と、このグリップ機構部における一対のレバーに固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されており、しかも、顔の面に対して前記睫毛カール機構部が垂直状態に設けられていると共に前記グリップ機構部が水平方向に設けられていることを特徴とする睫毛カール器。
【請求項４】
回動自在に軸支部で軸支された一対のレバーからなるグリップ機構部と、このグリップ機構部における一対のレバーに固定側型付け部と可動側型付け部とを前記一対のレバーの操作により開閉、接離自在に備えた睫毛カール機構部とで構成され、前記固定側型付け部と可動側型付け部とがそれぞれ平面視に見てほぼ同方向へ同じ円弧形状に湾曲されていると共にこの各円弧形状の状態を調整自在に設け、さらに、顔の面に対して前記睫毛カール機構部が垂直状態に設けられていると共に前記グリップ機構部が水平方向に設けられていることを特徴とする睫毛カール器。
【請求項５】
前記固定側型付け部と可動側型付け部とがそれぞれ弾性部材からなっていると共に平面視に見て前記円弧形状の向きを前側または後側に変更可能に設けてなることを特徴とする請求項３または４記載の睫毛カール器。
【請求項６】
前記二股状アームが、長手方向のほぼ中央部で互いに離反する方向に折曲げた折曲げ部を形成してなることを特徴とする請求項２記載の睫毛カール器。
【請求項７】
前記各二股状アームが、前記睫毛カール機構部を装着する部分で互いに平行な方向に長い断面扁平形状に形成してなることを特徴とする請求項１、２または６記載の睫毛カール器。
【請求項８】
固定側型付け部が、前記可動側型付け部の押圧力に応じて押圧方向側に弾性変形可能であることを特徴とする請求項１〜７のうちの一つに記載の睫毛カール器。
【請求項９】
前記可動側型付け部が、バネ性を有する線材でトラス形式にて前記弾性部材を嵌入可能な上向きコ字状の箱型形状に構成してなることを特徴とする請求項１〜８のうちの一つに記載の睫毛カール器。
【請求項１０】
前記可動側型付け部が、円弧形状の幅において前方側壁片、底壁片、後方側壁片で上向き断面コ字状となる箱型形状に形成された多数の可動側型付けブロックを前記後方側壁片で一体的に連結して構成してなることを特徴とする請求項１〜８のうちの一つに記載の睫毛カール器。
【発明の詳細な説明】
【技術分野】
【０００１】
この発明は、睫毛にカールを付ける睫毛カール器に関する。
【背景技術】
【０００２】
従来、鋏状の機構により開閉する部分に睫毛を挟んで締め付け、睫毛にカールを付ける睫毛カール器２０１はすでに良く知られている。例えば図１８に示されているように、睫毛カール器２０１は回動自在に軸支して鋏状に開閉する一対の指掛けレバー２０３、２０５を備えている。この一方の指掛けレバー２０３には軸支部２０７から上方に二股状に延び出した二股状アーム２０９、２１１が連接され、他方の指掛けレバー２０５には軸支部２０７から若干の長さ延び出した延設部２１３が設けられ、この延設部２１３の先端にはリンク２１５、２１７が回動自在に連結されている。前記二股状アーム２０９と二股状アーム２１１との間における先端部分には円弧状に湾曲した固定側型付け部２１９が掛け渡されていると共に、二股状アーム２０９、２１１に沿って上下動自在に可動側型付け部２２１が前記リンク２１５、２１７の先端に取り付けられている。
【０００３】
そして、前記可動側型付け部２２１は固定側型付け部２１９と同様に円弧状に湾曲されており、ゴムのような弾性先端２２３を有している。前記固定側型付け部２１９は薄い切り刃状の金属板からなっており、一対の指掛けレバー２０３、２０５を操作して、相対的に接近・離反する可動側型付け部２２１の弾性先端２２３と前記固定側型付け部２１９との間に睫毛を挟み圧力を加えて睫毛に型付けをしてカールさせるようになっている。
【０００４】
上記の睫毛カール器２０１を改良して、前記固定側型付け部２１９の長手方向（図１８において左右方向）にスリットを形成せしめ、このスリットに型付け凸部を設けてこの凸部を長手方向へ移動せしめて睫毛の一部にカールさせるようにしたものも知られている（特許文献１参照）。
【特許文献１】特開２００３−３４５５４０号公報
【発明の開示】
【発明が解決しようとする課題】
【０００５】
ところで、上述した従来の睫毛カール器２０１、特許文献１の睫毛カール器としては、固定側型付け部２１９、可動側型付け部２２１が予め決められた円弧形状に固定して設けられている。そのため、人の目の幅と曲線は人さまざまであるので、従来の睫毛カール器ではすべての人に合ったものとはいえず、睫毛カール器を購入するときは、各社で市販している数種類のものから自分に合ったものを選択している。それでも、人によって不充分のものであった。
【０００６】
また、従来の睫毛カール器２０１は、回動自在に軸支して鋏状に開閉する一対の指掛けレバー２０３、２０５を備えたグリップ機構部と、固定側型付け部２１９、可動側型付け部２２１とからなる開閉、接離自在な睫毛カール機構部とが、上下方向（垂直方向）へ一体的に設けけられているため、睫毛にカールを付ける際に、目をふさぐようになるから、瞳がかくれてしまい、睫毛をカールを付ける作業が非常に大変であると共に厄介なものであり、さらに、長時間かけて行う必要があった。さらに、睫毛カール器２０１で瞼をはさんでしまう難点があった。
【０００７】
この発明は上述の課題を解決するためになされたものである。
【課題を解決するための手段】
【０００８】
上記発明が解決しようとする課題を達成するためにこの発明の睫毛カール器は、回動自在に第１軸支部で軸支された一対のレバーからなるグリップ機構部と、このグリップ機構部における一対のレバーの一方を支持部材で二股アームを支持せしめ且つ二股アームで構成し且つこの二股アームの一端側に固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されていると共に、前記二股アームの他端を第２軸支部で軸支して前記各円弧形状の状態を調整自在に設けてなることを特徴とするものである。
【０００９】
この発明の睫毛カール器は、回動自在に第１軸支部で軸支された一対のレバーからなるグリップ機構部と、このグリップ機構部における一対のレバーの一方を二股アームで構成し且つこの二股アームの一端側に固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されていると共に、前記二股アームの他端を第２軸支部で軸支して前記各円弧形状の状態を調整自在に設けてなることを特徴とするものである。
【００１０】
この発明の睫毛カール器は、回動自在に軸支部で軸支された一対のレバーからなるグリップ機構部と、このグリップ機構部における一対のレバーに固定側型付け部と可動側型付け部とを前記一対のレバーの操作により開閉、接離自在に備えた睫毛カール機構部とで構成され、前記固定側型付け部と可動側型付け部とがそれぞれ平面視に見て同方向へほぼ同じ円弧形状に湾曲されており、しかも、顔の面に対して前記睫毛カール機構部が垂直状態に設けられていると共に前記グリップ機構部が水平方向に設けられていることを特徴とするものである。
【００１１】
この発明の睫毛カール器は、回動自在に軸支部で軸支された一対のレバーからなるグリップ機構部と、このグリップ機構部における一対のレバーに固定側型付け部と可動側型付け部とを前記一対のレバーの操作により開閉、接離自在に備えた睫毛カール機構部とで構成され、前記固定側型付け部と可動側型付け部とがそれぞれ平面視に見てほぼ同方向へ同じ円弧形状に湾曲されていると共にこの各円弧形状の状態を調整自在に設け、さらに、顔の面に対して前記睫毛カール機構部が垂直状態に設けられていると共に前記グリップ機構部が水平方向に設けられていることを特徴とするものである。
【００１２】
この発明の睫毛カール器は、前記睫毛カール器において、前記固定側型付け部と可動側型付け部とがそれぞれ弾性部材からなっていると共に平面視に見て前記円弧形状の向きを前側または後側に変更可能に設けていることが好ましい。
【００１３】
この発明の睫毛カール器は、前記睫毛カール器において、前記二股状アームが、長手方向のほぼ中央部で互いに離反する方向に折曲げた折曲げ部を形成していることが好ましい。
【００１４】
この発明の睫毛カール器は、前記睫毛カール器において、前記各二股状アームが、前記睫毛カール機構部を装着する部分で互いに平行な方向に長い断面扁平形状に形成していることが好ましい。
【００１５】
この発明の睫毛カール器は、前記睫毛カール器において、固定側型付け部が、前記可動側型付け部の押圧力に応じて押圧方向側に弾性変形可能であることが好ましい。
【００１６】
この発明の睫毛カール器は、前記睫毛カール器において、前記可動側型付け部が、バネ性を有する線材でトラス形式にて前記弾性部材を嵌入可能な上向きコ字状の箱型形状に構成していることが好ましい。
【００１７】
この発明の睫毛カール器は、前記睫毛カール器において、前記可動側型付け部が、円弧形状の幅において前方側壁片、底壁片、後方側壁片で上向き断面コ字状となる箱型形状に形成された多数の可動側型付けブロックを前記後方側壁片で一体的に連結して構成していることが好ましい。
【発明の効果】
【００１８】
以上のごとき課題を解決するための手段の説明から理解されるように、この発明によれば、前記固定側型付け部と可動側型付け部とがそれぞれ平面視に見て同方向へほぼ同じ円弧形状に湾曲されていると共に、二股アームの一端側に固定側型付け部と可動側型付け部とを開閉、接離自在に備えた睫毛カール機構部が前記二股アームの他端を第２軸支部で軸支しているので、前記各円弧形状の状態を簡単な力で容易に調整自在に設けられているから、人それぞれの目の曲線と幅に応じて固定側型付け部と可動側型付け部とをそれぞれ平面視に見て同方向へほぼ同じ円弧形状の湾曲を調整することができる。したがって、睫毛カール器を購入するときは、各社で市販している数種類のものから自分に合ったものを選択する必要がない。
【００１９】
また、前記睫毛カール機構部に対して前記グリップ機構部が水平方向に設けられているから、水平方向である横方向から睫毛をカールすることができ、目をふさぐことなく、睫毛を見ながら、しかも、短時間で容易にかつ確実に睫毛をカールすることができ、さらに、そのまま次のマスカラを塗布することができる。
【００２０】
前記固定側型付け部と可動側型付け部とがそれぞれ平面視に見て同方向へほぼ同じ円弧形状に湾曲されていると共にこの各円弧形状の状態を調整自在に設け、さらに、前記睫毛カール機構部に対して前記グリップ機構部が水平方向に設けられているから、人それぞれの目の曲線に応じて固定側型付け部と可動側型付け部とをそれぞれほぼ同じ円弧形状の状態を調整することができる。したがって、睫毛カール器を購入するときは、各社で市販している数種類のものから自分に合ったものを選択する必要がない。また、水平方向の横方向から睫毛をカールすることができ、目をふさぐことなく、睫毛を見ながら、しかも、短時間で容易にかつ確実に睫毛をカールすることができ、さらに、そのまま次のマスカラを塗布することができる。
【発明を実施するための最良の形態】
【００２１】
以下、この発明の第１の実施の形態について図面を参照して詳細に説明する。
【００２２】
図１および図２を参照するに、第１の実施の形態の睫毛カール器１はグリップ機構部３と、睫毛カール機構部５とで構成されている。前記グリップ機構部３は回動自在に軸支して鋏状に開閉する一対の指掛けレバー７、９を備えている。この一方の指掛けレバー７の長手方向の途中における側部には支持部材１１、１３が隙間１５を開けて一体的に設けられている。この隙間１５には上方に二股状に延び出した二股状アーム１７、１９の下端が前記支持部材１１、１３に第２軸支部としての例えば軸支部２１、２３で軸支されていると共に二股状アーム１７、１９の上端には例えば金属板からなり、かつ円弧形状に湾曲された固定側型付け部２５の左右端部２７、２９が装着されて固定されている。
【００２３】
前記一方の指掛けレバー７には溝３１が形成されており、この溝３１の上端部には他方の指掛けレバー９の上端部分が挿入されていると共に第１軸支部としての例えば軸支部３３により軸支されている。そして、他方の指掛けレバー９の上端には一対のアーム３５、３７の下端が取り付けられていると共に一対のアーム３５、３７の上端が円弧形状に湾曲された可動側型付け部３９の中央から左右側に離れて左右方向へ可動に取り付けられている。また、前記一対のアーム３５、３７の下端は前記指掛けレバー９の上端に可動可能に接合されている。
【００２４】
しかも、この可動側型付け部３９の左右の端部４１、４３が前記二股状アーム１７、１９に添って摺動自在に装着されている。前記可動側型付け部３９の上側すなわち、固定側型付け部２５側にゴムのごとき弾性部材４５が取り付けられている。固定側型付け部２５と可動側型付け部３９の円弧形状の湾曲された形状はほぼ同じものになっている。
【００２５】
上記構成により、一対の指掛けレバー７、９を人が指掛けレバー７、９に形成された指掛け穴７Ａ、９Ａに指を入れて操作することで、指掛けレバー７に対して指掛けレバー９を図１に矢印で示したごとく軸支部３３を支点として回動させると、一対のアーム３５、３７を介して固定側型付け部２５に対して可動側型付け部３９が接近したり、離反されることになる。固定側型付け部２５に対して可動側型付け部３９が接近されることで、固定側型付け部２５と可動側型付け部３９に設けられた弾性部材４５とで睫毛の根本を挟んでしっかりとカールさせることができる。
【００２６】
前記溝３１内には調整用調整ダイアル４７が設けられている。この調整用調整ダイアル４７の軸心部にはねじ４９が図２において左右方向へ延伸されており、このねじ４９は中心部から左に左ねじ４９Ｓが、中心部から右に右ねじ４９Ｚが形成されている。前記左ねじ４９Ｓは二股状アーム１７に設けられたナット部材５１に螺合されていると共に前記右ねじ４９Ｚは二股状アーム１９に設けられたナット部材５３に螺合されている。しかも、左ねじ４９Ｓ、右ねじ４９Ｚのそれぞれ先端部には止め部材５５、５７が取り付けられている。
【００２７】
上記構成により、例えば調整用調整ダイアル４７を図１に示した矢印Ａの方向へ回すと、二股状アーム１７、１９がそれぞれ離反する方向へ移動し、可動側型付け部３９とアーム３５、３７の接合部と、前記指掛けレバー９とアーム３５、３７の接合部もそれぞれ離反する方向へ移動し、固定側型付け部２５、可動側型付け部３９が広がり、固定側型付け部２５、可動側型付け部３９の円弧形状の湾曲が甘くなる。また、例えば調整用調整ダイアル４７を図１に示した矢印Ｂの方向へ回すと、二股状アーム１７、１９がそれぞれ接近する方向へ移動し、可動側型付け部３９とアーム３５、３７の接合部と、前記指掛けレバー９とアーム３５、３７の接合部もそれぞれ接近する方向へ移動し、固定側型付け部２５、可動側型付け部３９が狭くなり、固定側型付け部２５、可動側型付け部３９の円弧形状の湾曲がきつくなる。
【００２８】
その結果、例えば図３に示されているように、目ＥのカーブＣがゆるやかな場合には、固定側型付け部２５、可動側型付け部３９のカーブＣ１をカーブＣに合わせることで、睫毛Ｍの根本からしっかりとカールさせることができる。また、例えば図４に示されているように、目ＥのカーブＣがきつい場合には、固定側型付け部２５、可動側型付け部３９のカーブＣ２をカーブＣに合わせることで、睫毛Ｍの根本からしっかりとカールさせることができる。
【００２９】
したがって、前記固定側型付け部２５と可動側型付け部３９とがそれぞれほぼ同じ円弧形状に湾曲されていると共にこの各円弧形状の状態が調整自在に設けられているから、人それぞれの目の曲線に応じて固定側型付け部２５と可動側型付け部３９とをそれぞれほぼ同じ円弧形状の状態を調整することができる。したがって、睫毛カール器１を購入するときは、各社で市販している数種類のものから自分に合ったものを選択する必要がなく、睫毛Ｍを根本からしっかりときれいにカールすることができる。カールした後はマスカラーを容易に塗布することができる。
【００３０】
なお、二股状アーム１７、１９はそれぞれ第２軸支部の軸支部２１、２３で軸支されているので、調整用調整ダイアル４７を回したときに二股状アーム１７、１９がそれぞれ軸支部２１、２３を支点として簡単な力で容易に離反したり、接近したりする方向に移動させることができる。
【００３１】
次に、この発明の第２の実施の形態について図面を参照して詳細に説明する。
【００３２】
図５および図６には図１および図２に代わる第２の実施の形態の睫毛カール器５９が示されている。図５および図６において、図１および図２における部品と同じ部品には同一の符号を付して重複する説明を省略し、異なる点について説明する。
【００３３】
図５および図６において、指掛けレバー７と指掛けレバー９との軸支部３３を調整用調整ダイアル４７の下方に設け、指掛けレバー７に支持ブロック６１を一体化させる。この支持ブロック６１に、一対のアーム３５、３７を下方へ延出して、一対のアーム３５、３７の下端が取り付けられている。また、前記支持部材１１を前記指掛けレバー７の先端に一体化させ、前記支持部材１１の上方へ延伸されたブロック６３、６５を立設せしめ、このブロック６３とブロック６５との間に隙間３１を形成させている。そして、この隙間３１に調整用調整ダイアル４７が設けられている。
【００３４】
前記固定側型付け部２５と可動側型付け部３９がそれぞれゴムなどの弾性部材で構成されている。その結果、前記固定側型付け部２５は左右端部２７、２９に対して、手で押すことで図６に２点鎖線で示されているように、逆方向へ反転される。同様に可動側型付け部３９も左右の端部４１、４３に対して、手で押すことで図６に２点鎖線で示されているように、逆方向へ反転される。すなわち、固定側型付け部２５、可動側型付け部３９が平面視に見て円弧形状のカーブの向きを前側または後側に変更可能に設けられている。
【００３５】
上記構成により、一対の指掛けレバー７、９を人が指掛けレバー７、９に形成された指掛け穴７Ａ、９Ａに指を入れて操作することで、指掛けレバー７に対して指掛けレバー９を図５に矢印で示したごとく軸支部３３を支点として回動させると、一対のアーム３５、３７を介して固定側型付け部２５に対して可動側型付け部３９が接近したり、離反されることになる。固定側型付け部２５に対して可動側型付け部３９が接近されることで、固定側型付け部２５と可動側型付け部３９に設けられた弾性部材４５とで睫毛の根本をしっかりと挟んでカールさせることができる。
【００３６】
また、例えば調整用調整ダイアル４７を図６に示した矢印Ｃの方向へ回すと、二股状アーム１７、１９がそれぞれ離反する方向へ移動し、可動側型付け部３９とアーム３５、３７の接合部と、前記指掛けレバー９とアーム３５、３７の接合部もそれぞれ離反する方向へ移動し、固定側型付け部２５、可動側型付け部３９が広がり、固定側型付け部２５、可動側型付け部３９の円弧形状の湾曲が甘くなる。また、例えば調整用調整ダイアル４７を図６に示した矢印Ｄの方向へ回すと、二股状アーム１７、１９がそれぞれ接近する方向へ移動し、可動側型付け部３９とアーム３５、３７の接合部と、前記指掛けレバー９とアーム３５、３７の接合部もそれぞれ接近する方向へ移動し、固定側型付け部２５、可動側型付け部３９が狭くなり、固定側型付け部２５、可動側型付け部３９の円弧形状の湾曲がきつくなる。
【００３７】
その結果、例えば図３に示されているように、目ＥのカーブＣがゆるやかな場合には、固定側型付け部２５、可動側型付け部３９のカーブＣ１をカーブＣに合わせることで、睫毛Ｍの根本からしっかりとカールさせることができる。また、例えば図４に示されているように、目ＥのカーブＣがきつい場合には、固定側型付け部２５、可動側型付け部３９のカーブＣ２をカーブＣに合わせることで、睫毛Ｍの根本からしっかりとカールさせることができる。
【００３８】
したがって、前記固定側型付け部２５と可動側型付け部３９とがそれぞれほぼ同じ円弧形状に湾曲されていると共にこの各円弧形状の状態が調整自在に設けられているから、人それぞれの目の曲線に応じて固定側型付け部２５と可動側型付け部３９とをそれぞれほぼ同じ円弧形状の状態を調整することができる。したがって、睫毛カール器１を購入するときは、各社で市販している数種類のものから自分に合ったものを選択する必要がなく、睫毛Ｍを根本からしっかりときれいにカールすることができる。
【００３９】
図７に示されているように、一対の指掛けレバー７、９を人が指掛けレバー７、９に形成された指掛け穴７Ａ、９Ａに指を入れて操作することで、右目Ｅの睫毛Ｍにカールを簡単かつ容易に短時間で行うことができる。左目Ｅの睫毛Ｍにカールを行う際には、図８に示されているように、前記固定側型付け部２５を左右端部２７、２９に対して、手で押すことで図６に２点鎖線で示されているように、逆方向へ向きを変更させると共に、同様に可動側型付け部３９も左右の端部４１、４３に対して、手で押すことで図６に２点鎖線で示されているように、逆方向へ向きを変更させる。この状態で睫毛カール器５９を図８に示したように裏返しにする。そして、一対の指掛けレバー７、９を人が指掛けレバー７、９に形成された指掛け穴７Ａ、９Ａに指を入れて操作することで、左目Ｅの睫毛Ｍにカールを簡単かつ容易に短時間で行うことができる。
【００４０】
次に、この発明の第３の実施の形態について図面を参照して詳細に説明する。
【００４１】
図９乃至は図１１には図１および図２に代わる第３の実施の形態の睫毛カール器６７が示されている。図９乃至は図１１において、図１および図２における部品と同じ部品には同一の符号を付して重複する説明を省略し、異なる点について説明する。
【００４２】
図９，図１０及び図１１において、指掛けレバー６９は、二股状アーム７１、７３とから構成されており、一方の二股状アーム７１は図９において下部に取っ手部としての指掛け穴７１Ａが形成されており、他方の二股状アーム７３は図９において下端に軸支部７３Ａが形成されており、二股状アーム７１、７３は前記指掛け穴７１Ａの下端部分と軸支部７３Ａとが第２軸支部としての例えば軸支管７５により図９及び図１１において左右方向に回動可能に軸支されている。
【００４３】
また、二股状アーム７１、７３の図９及び図１１において上下方向のほぼ中央部は互いに離反する方向に折曲げられた折曲げ部７７、７９が形成されており、この折曲げ部７７、７９には調整用調整ダイアル４７の軸心部の左ねじ４９Ｓ、右ねじ４９Ｚを挿通可能で且つ図９及び図１１において上下方向に長い長穴部８１、８３が設けられている。
【００４４】
さらに、二股状アーム７１、７３の図９及び図１１において上部側は互いに離反する方向に折曲げられて二股状アーム７１、７３の間隔を広げてから、睫毛カール機構部５の固定側型付け部８５と可動側型付け部２５を装着するための睫毛カール機構装着部８７が図９及び図１１において上方向に向けて互いに平行に延伸されている。なお、前記睫毛カール機構装着部８７における図１１において２点鎖線で示した外側、内側部分が互いに平行な方向に長い断面扁平形状に潰されている。このように二股状アーム７１、７３の各睫毛カール機構装着部８７が断面扁平形状とされているので、可動側型付け部３９の左右の端部４１、４３が各睫毛カール機構装着部８７に嵌挿されて上下動する際にスムーズに動くことになる。しかも、各睫毛カール機構装着部８７にその軸線方向に力がかかったときに、前記睫毛カール機構装着部８７の部分で互いに近づいたり離れたりする方向に“しなり”が生じやすくなる。
【００４５】
一方、指掛けレバー８９は１本の長尺の部材を二股に折曲げて二股アーム部８９Ｌ，８９Ｒが形成され、前記折曲げた部分に指掛け用の取っ手部としての指掛け穴８９Ａが設けられ、二股アーム部８９Ｌ，８９Ｒの先端側に穴部９１が設けられている。
【００４６】
また、上記の指掛けレバー６９と指掛けレバー８９との第１軸支部（図１の軸支部３３に該当）としては調整用調整ダイアル４７の軸心部と同一軸に設けられている。すなわち、指掛けレバー８９の二股アーム部８９Ｌ，８９Ｒの穴部９１が調整用調整ダイアル４７の軸心部の左ねじ４９Ｓ、右ねじ４９Ｚに嵌挿されている。
【００４７】
さらに、前記左ねじ４９Ｓには二股アーム部８９Ｌの外側に位置して指掛けレバー６９の二股状アーム７１の長穴部８１が嵌挿されており、前記長穴部８１の長手方向に沿って移動自在に設けられたナット部材９３が前記左ねじ４９Ｓに螺合されている。一方、前記右ねじ４９Ｚには二股アーム部８９Ｒの外側に位置して二股状アーム７３に設けた長穴部８３が嵌挿されており、前記長穴部８３の長手方向に沿って移動自在に設けられたナット部材９５が右ねじ４９Ｚに螺合されている。しかも、左ねじ４９Ｓ、右ねじ４９Ｚのそれぞれ先端部には止め部材５５、５７が取り付けられている。
【００４８】
また、前記二股状アーム７１、７３の睫毛カール機構装着部８７の上端には、例えば金属板からなり、かつ円弧形状に湾曲された固定側型付け部８５の左右端部８５Ｌ、８５Ｒが装着されて固定されている。なお、この固定側型付け部８５は前述した第１の実施の形態の固定側型付け部２５の場合より幅狭に形成されている。つまり、前記可動側型付け部３９の押圧力に応じて押圧方向側に弾性変形可能な幅寸法Ｓ（例えば、２．５〜３ｍｍ）で形成されている。ちなみに、固定側型付け部２５の幅寸法Ｓは１３〜１４ｍｍである。
【００４９】
また、指掛けレバー８９の二股アーム部８９Ｌ，８９Ｒの先端には、前述した第１の実施の形態と同様の一対のアーム３５、３７が外側から円を描くように曲げられ、一対の二股アーム部８９Ｌ，８９Ｒの先端にあけられた穴に差し込まれ、可動自在に取り付けられている。また、一対のアーム３５、３７の上端には円弧形状に湾曲された可動側型付け部３９の中央から左右側に離れて左右方向へ可動可能に取り付けられている。しかも、この可動側型付け部３９の左右の端部４１、４３が前記二股状アーム７１、７３に添って摺動自在に装着されている。前記可動側型付け部３９の上側すなわち、固定側型付け部８５側にゴムのごとき弾性部材４５が取り付けられている。固定側型付け部８５と可動側型付け部３９の形状は円弧形状に湾曲されてほぼ同じものになっている。
【００５０】
上記構成により、一対の指掛けレバー６９、８９を人が指掛けレバー６９、８９に形成された指掛け穴７１Ａ、８９Ａに指を入れて操作することで、指掛けレバー８９が指掛けレバー６９に対して図１０に矢印で示したごとく調整用調整ダイアル４７の軸心部を支点として回動させると、一対のアーム３５、３７を介して固定側型付け部８５に対して可動側型付け部３９が接近したり、離反されることになる。可動側型付け部３９が固定側型付け部８５に対して接近されることで、可動側型付け部３９に設けた弾性部材４５と固定側型付け部８５とで睫毛の根本を挟んでしっかりとカールさせることができる。
【００５１】
この場合、二股状アーム７１、７３のほぼ中央部には互いに離反する方向に折曲げられた折曲げ部７７、７９が形成されているので、可動側型付け部３９が固定側型付け部８５に対して押圧されたときに前記折曲げ部７７、７９で“しなり”が生じて、可動側型付け部３９と固定側型付け部８５との押圧力がその長手方向に亘って均等になるように作用し、すべての睫毛Ｍをほぼ均等にカールさせるように機能することになる。
【００５２】
さらに、二股状アーム７１、７３の睫毛カール機構装着部８７が互いに平行な方向に長い断面扁平形状に形成されていることにより、睫毛カール機構装着部８７における“しなり”が生じると共に、可動側型付け部３９が固定側型付け部８５に対してスムーズに移動することにより、可動側型付け部３９と固定側型付け部８５との押圧力がより一層均等になるように作用し、すべての睫毛Ｍをほぼ均等にカールさせるように機能することになる。
【００５３】
さらに加えて、固定側型付け部８５が可動側型付け部３９の押圧力に応じて押圧方向側に弾性変形可能な幅寸法Ｓで形成されているので、可動側型付け部３９と固定側型付け部８５との押圧力がより一層均等になるように作用し、すべての睫毛Ｍをほぼ均等にカールさせるように機能することになる。
【００５４】
一般的に睫毛カール器の基本的使い方は、本体をまぶたに密着させ、固定側型付け部８５と、可動側型付け部３９の間に睫毛Ｍを挟み込み、押圧力によって、睫毛Ｍをカールするもので、その機能実施のほか、固定側型付け部８５と可動側型付け部３９の間に睫毛Ｍを挟み込んだままそれを軸にし、固定側型付け部８５をまぶたに強く押し当て、指かけアーム６９を顔面上方へ半円を描くように移動させ、より強い睫毛Ｍのカールを得るものである。
【００５５】
このことから、固定側型付け部８５の寸法‘Ｓ’は、従来型の睫毛カール器にみられるまぶたへの負担という問題点を解消すると共に、上記に述べた顔面上方へ円を描く動きを安全に且つ、容易にするものである。
【００５６】
以上のことから、総合的により一層相乗効果的にすべての睫毛Ｍをほぼ均等にカールさせることができる。
【００５７】
また、指掛けレバー６９と指掛けレバー８９との第１軸支部には調整用調整ダイアル４７が設けられているので、例えば調整用調整ダイアル４７を図１０に示した矢印Ａの方向へ回すと、指掛けレバー６９の二股状アーム１７、１９がそれぞれ離反する方向へ移動し、可動側型付け部３９とアーム３５、３７の接合部と、前記指掛けレバー８９とアーム３５、３７の接合部もそれぞれ離反する方向へ移動し、固定側型付け部８５、可動側型付け部３９が広がり、固定側型付け部８５、可動側型付け部３９の円弧形状の湾曲が甘くなる。
【００５８】
また、例えば調整用調整ダイアル４７を図１０に示した矢印Ｂの方向へ回すと、二股状アーム７１、７３がそれぞれ接近する方向へ移動し、可動側型付け部３９とアーム３５、３７の接合部と、前記指掛けレバー８９とアーム３５、３７の接合部もそれぞれ接近する方向へ移動し、固定側型付け部８５、可動側型付け部３９が狭くなり、固定側型付け部８５、可動側型付け部３９の円弧形状の湾曲がきつくなる。
【００５９】
その結果、前述した第１の実施の形態で説明したように、固定側型付け部８５、可動側型付け部３９のカーブＣ１を人それぞれの目の曲線に応じて目ＥのカーブＣに容易に合わせることができ、睫毛Ｍの根本からしっかりとカールさせることができる。
【００６０】
なお、指掛けレバー６９を構成する二股状アーム７１、７３は下端部分で第２軸支部としての軸支管７５により軸支されているので、調整用調整ダイアル４７を回したときに二股状アーム７１、７３が軸支管７５の部分を支点として簡単な力で容易に離反したり、接近したりする方向に移動させることができる。
【００６１】
次に、上述した可動側型付け部３９について図面を参照してより詳しく説明する。
【００６２】
図１２乃至は図１４を参照するに、可動側型付け部３９はバネ性を有する線材９７でトラス形式にて前記弾性部材４５を嵌入可能な上向きコ字状の箱型形状に構成されている。すなわち、可動側型付け部３９の左右の端部４１、４３は例えば二股状アーム７１、７３（又は１７、１９）が挿通可能な管状の部材で構成されており、図１２に示されているように、バネ性を有する線材９７が前記端部４１、４３の間で湾曲された円弧形状の幅で例えば端部４１の後方側縁３９Ｒ（図１２において上方側縁）から前方側縁３９Ｆ（図１２において下方側縁）に向けて斜めに延びており、この前方側縁３９Ｆで図１３に示されているように山形状に折曲げられて所定の高さまで立ち上がり、次いで前方側縁３９Ｆから後方側縁３９Ｒに向けて折曲げられて斜めに延びており、この後方側縁３９Ｒで山形状に折曲げられて所定の高さまで立ち上がり、次いで後方側縁３９Ｒから前方側縁３９Ｆに向けて折曲げられて斜めに延びている。なお、後方側縁３９Ｒの山形状は前方側縁３９Ｆの山形状より僅かに高く形成されている。
【００６３】
以上のようなトラス形状を繰り返して前記端部４３へ向けて湾曲された円弧形状に形成され、且つ図１３の矢視ＸＩＶ−ＸＩＶ線の断面が図１４に示されているように上向き断面コ字状となる箱型形状に形成されている。
【００６４】
また、前記弾性部材４５は、図１２乃至は図１４の二点鎖線で示されているように、前記可動側型付け部３９の箱型の中に嵌入されることになる。
【００６５】
なお、後方側縁３９Ｒの部分はバネ性の線材９７が伸びないようにするために、例えばプラスチック材などの材質からなる連結材９９で連結されている。例えば、前記連結材９９は、後方側縁３９Ｒの山形状の部分の間に嵌め込まれる段付部が設けられて後方側縁３９Ｒに沿って一体的に連結されている。
【００６６】
さらに、可動側型付け部３９の底面部には芯材１０１が円弧形状の幅のほぼ中央位置に可動側型付け部３９の全長に亘って溶接等で接合し、下方向からの力に対して補強されている。なお、一対のアーム３５、３７の上端が芯材１０１に取り付けられる場合は、図１４に示されているように下方からの力が芯材１０１を介してかかることになる。このとき、固定側型付け部８５（又は２５）による上からの力が弾性部材４５にかかることになるが、この上からの力と下からの力とのかかる位置が僅かにずれていることが望ましい。すなわち、上からの力の位置が下からの力の位置より寸法Ｃだけ前方側（図１４において右側）に位置している。この寸法Ｃは例えば０．３ｍｍ程度である。これにより、睫毛をより一層効果的にカールすることができる。
【００６７】
上記構成により、可動側型付け部３９は、左右の端部４１、４３を結ぶ線から円弧形状の最奥までの距離Ｌが常時、図１２に示されている状態であるが、調整用調整ダイアル４７を回して二股状アーム１７、１９が互いに離反する方向へ移動すると、可動側型付け部３９はバネ性の線材９７及び弾性部材４５の付勢力に抗して前記距離Ｌが小さくなるように湾曲形状が緩やかに変形されることになる。一方、調整用調整ダイアル４７を逆に回すと、可動側型付け部３９のバネ性の線材９７及び弾性部材４５の原位置に復帰する付勢力により二股状アーム１７、１９が互いに近づく方向へ移動し、可動側型付け部３９は前記距離Ｌが大きくなるように湾曲形状がきつく変形されることになる。
【００６８】
次に、他の実施の形態の可動側型付け部１０３について図面を参照してより詳しく説明する。
【００６９】
図１５乃至は図１８を参照するに、可動側型付け部１０３は、例えば樹脂材により、前記端部４１、４３の間で湾曲された円弧形状の幅において上向き断面コ字状となる箱型形状に形成された多数の可動側型付けブロック１０５が連結されて構成されている。各可動側型付けブロック１０５は、前方側壁片１０５Ｆ（図１５において下方側縁）、底壁片１０５Ｂ、後方側壁片１０５Ｒ（図１５において上方側縁）で上向き断面コ字状に形成されている。
【００７０】
すなわち、可動側型付け部１０３は、多数の可動側型付けブロック１０５が各後方側壁片１０５Ｒで一体的に連結され、且つ互いに隣接する前方側壁片１０５Ｆで接離可能であり、互いに隣接する底壁片１０５Ｂの間に三角形の切欠き部１０７が形成される状態で、全体として湾曲された円弧形状に形成されている。なお、後方側壁片１０５Ｒは前方側壁片１０５Ｆより僅かに高く形成されている。
【００７１】
また、三角形の切欠き部１０７のコーナの部分（後方側壁片１０５Ｒ）には穴部１０９が設けられている。この穴部１０９は、可動側型付け部１０３の湾曲形状が緩くなったり、きつくなったり、種々変形されるときに、三角形の切欠き部１０７から後方側壁片１０５Ｒに亀裂が入らないようにするためである。
【００７２】
また、前記弾性部材４５は、図１５乃至は図１７の二点鎖線で示されているように、前記可動側型付け部１０３の箱型の中に嵌入されることになる。
【００７３】
上記構成により、可動側型付け部１０３は、左右の端部４１、４３を結ぶ線から円弧形状の最奥までの距離Ｌが常時、図１５に示されている状態であるが、調整用調整ダイアル４７を回して二股状アーム１７、１９が互いに離反する方向へ移動すると、可動側型付け部１０３は弾性部材４５の付勢力に抗して三角形の切欠き部１０７が狭くなるように移動し、前記距離Ｌが小さくなるように湾曲形状が緩やかに変形されることになる。一方、調整用調整ダイアル４７を逆に回すと、弾性部材４５の原位置に復帰する付勢力により二股状アーム１７、１９が互いに近づく方向へ移動し、可動側型付け部１０３は三角形の切欠き部１０７が広くなるように移動し、前記距離Ｌが大きくなるように湾曲形状がきつく変形されることになる。
【００７４】
なお、この発明は前述した実施の形態に限定されることなく、適宜な変更を行うことによりその他の態様で実施し得るものである。前記発明の実施の形態において、固定側型付け部２５、８５、可動側型付け部１０３の円弧形状の湾曲の状態を数段階に調整でき、その位置を固定する機構を設けると、その人に合った睫毛のカール付けを固定することができる。
【図面の簡単な説明】
【００７５】
【図１】この発明の第１の実施の形態の睫毛カール器の左側面図である。
【図２】図１における正面図である。
【図３】目のカーブがゆるやかな場合の固定側型付け部、可動側型付け部のカーブを目のカーブに合わせる例の説明図である。
【図４】目のカーブがきつい場合の固定側型付け部、可動側型付け部のカーブを目のカーブに合わせる例の説明図である。
【図５】この発明の第２の実施の形態の睫毛カール器の正面図である。
【図６】図５における右側面図である。
【図７】この別の発明の睫毛カール器を用いて右目の睫毛にカールを行うための説明図である。
【図８】この別の発明の睫毛カール器を用いて左目の睫毛にカールを行うための説明図である。
【図９】この発明の第３の実施の形態の睫毛カール器の斜視図である。
【図１０】図９における睫毛カール器の左側面図である。
【図１１】図９における正面図である。
【図１２】可動側型付け部３９の平面図である。
【図１３】図１２における正面図である。
【図１４】図１３における矢視ＸＩＶ−ＸＩＶ線の断面図である。
【図１５】他の実施の形態の可動側型付け部３９の平面図である。
【図１６】図１５における正面図である。
【図１７】図１６における矢視ＸＶＩＩ−ＸＶＩＩ線の断面図である。
【図１８】従来の睫毛カール器の斜視図である。
【符号の説明】
【００７６】
１  睫毛カール器
３  グリップ機構部
５  睫毛カール機構部
７、９  指掛けレバー
１１、１３  支持部材
１５  隙間
１７、１９  二股状アーム
２１、２３  軸支部（第２軸支部）
２５  固定側型付け部
２７、２９  端部
３１  溝
３３  軸支部（第１軸支部）
３５、３７  アーム
３９  可動側型付け部
３９Ｆ  前方側縁
３９Ｒ  後方側縁
４１、４３  端部
４５  弾性部材
４７  調整用調整ダイアル
４９  ねじ
４９Ｓ  左ねじ
４９Ｚ  右ねじ
５１、５３  ナット部材
５５、５７  止め部材
５９  睫毛カール器（第２の実施の形態の）
６１  支持ブロック
６３、６５  ブロック
６７  睫毛カール器（第３の実施の形態の）
６９  指掛けレバー
７１、７３  二股状アーム
７１Ａ、７３Ａ  指掛け穴
７５  軸支管（第２軸支部）
７７、７９  折曲げ部
８１、８３  長穴部
８５  固定側型付け部
８７  睫毛カール機構装着部
８９  指掛けレバー
８９Ａ  指掛け穴
８９Ｌ、８９Ｒ  二股アーム部
９１  穴部
９３、９５  ナット部材
９７  バネ性の線材
９９  連結材
１０１  芯材
１０３  可動側型付け部（他の実施の形態の）
１０５  可動側型付けブロック
１０５Ｆ  前方側壁片
１０５Ｂ  底壁片
１０５Ｒ  後方側壁片
１０７  切欠き部
１０９  穴部
【図１】
2005349181.tif 000003
【図２】
2005349181.tif 000004
【図３】
2005349181.tif 000005
【図４】
2005349181.tif 000006
【図５】
2005349181.tif 000007
【図６】
2005349181.tif 000008
【図７】
2005349181.tif 000009
【図８】
2005349181.tif 000010
【図９】
2005349181.tif 000011
【図１０】
2005349181.tif 000012
【図１１】
2005349181.tif 000013
【図１２】
2005349181.tif 000014
【図１３】
2005349181.tif 000015
【図１４】
2005349181.tif 000016
【図１５】
2005349181.tif 000017
【図１６】
2005349181.tif 000018
【図１７】
2005349181.tif 000019
【図１８】
2005349181.tif 000020